(57)【要約】【課題】  簡素な構成で、放熱器とＬＥＤを物理的に接触させることにより良好な放熱効果が得られ、高光速な照明装置を提供する。【解決手段】  撮像装置に着脱自在に装着される照明装置であって、複数のＬＥＤ３と、複数の穴が設けられた前記複数のＬＥＤ３を実装する為のプリント回路基板４と、該プリント回路基板に設けられた複数の穴と同数の複数の突起を設けた放熱器５とを備え、前記複数のＬＥＤ３のそれぞれは前記プリント回路基板４に設けられた穴のうちの対応する１つの穴の上に配置され、該放熱器５の複数の突起は前記プリント回路基板４に設けられた複数の穴の対応する位置へ挿入され、かつ前記プリント回路基板４上に配置された前記ＬＥＤ３に接触され固定される、ことを特徴とした照明装置とする。【選択図】  図２
2006331858.tif 000002
【特許請求の範囲】
【請求項１】
撮像装置に着脱自在に装着される照明装置であって、複数のＬＥＤと、複数の穴が設けられた前記複数のＬＥＤを実装する為のプリント回路基板と、該プリント回路基板に設けられた複数の穴と同数の複数の突起を設けた放熱器とを備え、前記複数のＬＥＤのそれぞれは前記プリント回路基板に設けられた穴のうちの対応する１つの穴の上に配置され、該放熱器の複数の突起は前記プリント回路基板に設けられた複数の穴の対応する位置へ挿入され、かつ前記プリント回路基板上に配置された前記ＬＥＤに接触され固定される、ことを特徴とした照明装置。
【請求項２】
前記プリント回路基板と前記放熱器は、前記プリント回路基板上に配置された複数のＬＥＤを含む最小の長方形の領域外で固定される、ことを特徴とした請求項１に記載の照明装置。
【請求項３】
前記放熱器に設けた突起は、前記プリント回路基板の位置決めピンとなる、ことを特徴とした請求項１、２に記載の照明装置。
【請求項４】
バッテリーパックを装着し、該バッテリーパックから電源供給を受ける、ことを特徴とした請求項１から３に記載の照明装置。
【請求項５】
前記撮像装置に設けられた電源接点を有するアクセサリシューに勘合して保持され、該電源接点から電源供給を受ける、ことを特徴とした請求項１から３に記載の照明装置。
【発明の詳細な説明】
【技術分野】
【０００１】
本発明は、ビデオカメラ等の撮像装置に装着されるＬＥＤを光源として用いる照明装置におけるＬＥＤの効果的な放熱構造に関するものである。
【背景技術】
【０００２】
ＬＥＤ（発光ダイオード）は、小型で消費電力の微小な光源として、その高輝度化、白色ＬＥＤの開発の進展につれて、信号機および液晶ディスプレイのバックパネル等様々な用途に適用され、一般照明用として蛍光灯、ハロゲンランプ等の光源に代わる光源として注目が集まっている。このような用途として使用するためにＬＥＤは高光束を必要とされる。そのためには、なるべく高い電流を用いてＬＥＤを駆動する必要があるが、高い電流による熱の発生のためにＬＥＤの性能を著しく劣化させるという問題も有り、例えば特開２００２-２５２３７３のような手段を用いて大電流によりＬＥＤ内部で発生した熱をＬＥＤ外部（パッケージ表面）へ効率よく放熱する構造のＬＥＤの開発も進んでいる。
【０００３】
一般的に、高光速のＬＥＤを用いて照明装置を構成する場合には、ＬＥＤをプリント回路基板上に実装し装置の内部へ組み込まれる構成となるが、前記ＬＥＤ外部への放熱を効率よく行うＬＥＤを用いて照明装置を構成した場合においてもＬＥＤ外部まで伝達された熱を外気へ消散させるための良好な放熱経路を構成する必要があり、従来のプリント回路基板ではＬＥＤ内部で発生した熱を外気へ放熱するのためには効果的ではない。
【０００４】
そのために、プリント回路基板にスルーホールを構成し、ＬＥＤを実装していない裏面に熱を伝達しプリント回路基板裏面に接着された放熱器に熱を伝達させることにより、放熱器から効果的に放熱を行う構成のもの（例えば、特許文献１参照）や、金属基層の上に誘電体層を形成しその上にＬＥＤを実装し、通過部を設けた誘電体層のＬＥＤと金属基層の間には熱伝導部材を設けることにより放熱効果を高めた構成のもの（例えば、特許文献２参照）がある。
【特許文献１】特開２００２−２５２３７３号公報
【特許文献２】特開２００３−１２４５２４号公報
【発明の開示】
【発明が解決しようとする課題】
【０００５】
上記のような手法は、放熱効果を高めるために効果があるが、放熱器とＬＥＤとの間に例えば接着剤等の物質が存在する為に、ＬＥＤの熱を伝達させて放熱させるための放熱器への熱伝達率が小さくなる。また、ＬＥＤを実装する為に用いる基板に特殊な加工を施しているために製造上の手間がかかるという問題があった。
【課題を解決するための手段】
【０００６】
以上の課題を解決するために、本発明の照明装置は次の構成からなる。
【０００７】
即ち、撮像装置に着脱自在に装着される照明装置であって、複数のＬＥＤと、複数の穴が設けられた前記複数のＬＥＤを実装する為のプリント回路基板と、該プリント回路基板に設けられた複数の穴と同数の複数の突起を設けた放熱器とを備え、前記複数のＬＥＤのそれぞれは前記プリント回路基板に設けられた穴のうちの対応する１つの穴の上に配置され、該放熱器の複数の突起は前記プリント回路基板に設けられた複数の穴の対応する位置へ挿入され、かつ前記プリント回路基板上に配置された前記ＬＥＤに接触され固定される、ことを特徴とした照明装置とするものである。
【発明の効果】
【０００８】
本発明によれば、従来のプリント回路基板を用いることにより簡素な構成とすることが出来、かつ放熱器をＬＥＤに接触させることにより良好な放熱効果が得られ、高光速な照明装置を提供することができるものである。
【発明を実施するための最良の形態】
【０００９】
以下、本発明のビデオライト装置を添付図面を参照にして詳細に説明する。
【００１０】
図１に本実施のビデオライト装置の一実施の形態の構成の外観図を示す。
【００１１】
図２は図１に示すビデオライトの構造を示す展開図である。
【００１２】
図１および図２において、１はビデオライト本体であり、フロントカバー１１とリアカバー１２から構成され、フロントカバー１１の前面、上面および側面、リアカバー１２の上面と側面に換気用の穴が設けられている。
【００１３】
２は集光レンズ部、３は白色ＬＥＤ、４はプリント回路基板、５は放熱器、６はＬＥＤ点灯回路基板、７はアクセサリシューである。
【００１４】
また、本実施の形態ではビデオライトの電力供給手段としてバッテリーパック８をビデオライト本体後部に装着する。
【００１５】
白色ＬＥＤ３は、プリント回路基板４上に少なくとも１個以上実装されている。
【００１６】
プリント回路基板４とＬＥＤ点灯回路基板６は図示しない接続ケーブルで電気的に接続されており、図示しない点灯／消灯スイッチをＯＮにすることにより、バッテリーパック９からの電力をＬＥＤ点灯回路基板６により制御しプリント回路基板４へ電力を供給し白色ＬＥＤ３を発光させ、集光レンズ２により光を集光させビデオライト本体の前方へ照射する。
【００１７】
また、本実施のビデオライトはアクセサリシュー８によりビデオカメラ本体に固定される。
【００１８】
図３に本実施のビデオライトにおける放熱器の取り付け構造の展開図を示す。
【００１９】
図３に示すように、プリント回路基板４には白色ＬＥＤと同じ数の複数の穴４１があけられている。複数の白色ＬＥＤ３は、プリント回路基板４の複数の穴４１の上にそれぞれ実装される。
【００２０】
放熱器５は、プリント回路基板４上の複数の穴４１の対応するように位置に複数の穴４１と同じ数の突起５１が設けてある。
【００２１】
複数の白色ＬＥＤ３を実装したプリント回路基板４は、プリント回路基板４上にあけた複数の穴４１の対応する穴を放熱器５の対応する突起５１に差し込むことによりビデオライト本体１内部で位置決めされ、固定される。
【００２２】
放熱器５に設けた突起５１の突出量は、複数の白色ＬＥＤ３を実装したプリント回路基板４の対応する複数の穴４１に挿入し固定されたときに、白色ＬＥＤ３に物理的に接触することが可能となる最小の突出量である。
【００２３】
また、プリント回路基板４と放熱器５の固定位置は、放熱器５の突起５１が物理的に接触している白色ＬＥＤ３のハンダ部等にかかる負荷を最小にするために、プリント回路基板４上の４２ａ、４２ｂの白色ＬＥＤのハンダ部から距離を持った位置にて固定する。
【００２４】
図４に放熱器を固定したときの断面図を示す。
【００２５】
図４に示すように放熱器５の突起５１はプリント回路基板４上の複数の穴４１の対応する位置に基板の位置決めのために挿入されており、プリント回路基板４上に実装された白色ＬＥＤ３の発光面と反対の面に物理的に接触し、白色ＬＥＤ内部で発生した熱が放熱器５へと伝達される。
【図面の簡単な説明】
【００２６】
【図１】本発明の実施例におけるビデオライトの外観図。
【図２】本発明の実施例におけるビデオライトの構造を示す展開図。
【図３】本発明の実施例におけるビデオライトの放熱器の取り付け構造を示す展開図。
【図４】本発明の実施例におけるビデオライトの放熱器の取り付け状態を示す断面図。
【符号の説明】
【００２７】
１  ビデオライト本体
１１  フロントカバー
１２  リアカバー
２  集光レンズ
３  白色ＬＥＤ
４  プリント回路基板
４１  プリント回路基板に設けた穴
４２ａ  プリント回路基板の固定位置
４２ｂ  プリント回路基板の固定位置
５  放熱器
５１  放熱器に設けた突起
６  ＬＥＤ点灯回路基板
７  アクセサリシュー
８  バッテリーパック
【図１】
2006331858.tif 000003
【図２】
2006331858.tif 000004
【図３】
2006331858.tif 000005
【図４】
2006331858.tif 000006